(57)【要約】【課題】  光信号処理と光クロック再生を同時に行う簡単な構成の光信号処理装置を実現する。【解決手段】  入力光信号1を偏波分離遅延装置1000を通すことにより、位相をずらした偏光成分を有する光信号2とし、光ゲート素子2000にて、光信号2を光クロック8にて打ち抜く。打ち抜いた出力光信号を2分岐し、一方を光位相補償器3001に通して出力光信号3とし、他方を偏波コントローラ3002を通して偏光ビームスプリッタ7001にて分離する。分離した出力光信号4,5の位相差に応じた位相比較電気信号6を求め、この電気信号6の値に応じて周波数と位相が調整された光クロック8を光パルス発生器5000で求めて、この光クロック8を光ゲート素子2000に入力する。【選択図】        図１
2005345750.tif 000002
【特許請求の範囲】
【請求項１】
入力された光信号に対し、同期して信号処理を行なう光クロック再生機能付光信号処理装置において、
入力光信号を互いに直交する２つの偏波の光信号に分離し位相差を設ける偏波分離遅延器と、
前記偏波分離遅延器の出力側に接続された入力光信号により動作する光ゲート素子と、
前記光ゲート素子の出力側に接続された光２分波器と、
前記光２分波器の一方の出力側に接続された偏波調整器と、
前記光２分波器のもう一方の出力側に接続された光位相調整器と、
前記偏波調整器の出力側に接続された偏光ビームスプリッタと、
前記偏光ビームスプリッタの２つの出力側にそれぞれ接続された２つのフォトダイオードと、
前記２つのフォトダイオードの出力が差動出力となるように接続された電気配線と、
前記電気配線のもう一方の端に接続され、前記２つのフォトダイオードの差動出力に応じて発振し、出力側が前記光ゲート素子の制御信号光入力側に接続された光パルス発生器とを有することを特徴とする光クロック再生機能付光信号処理装置。
【請求項２】
入力された光信号に対し、同期して信号処理を行なう光クロック再生機能付光信号処理装置において、
入力光信号によって制御する光ゲート素子と、
前記光ゲート素子の出力側に接続された光２分波器と、
前記光２分波器の一方の出力側に接続された偏波調整器と、
前記光２分波器のもう一方の出力側に接続された光位相調整器と、
前記偏波調整器の出力側に接続された偏光ビームスプリッタと、
前記偏光ビームスプリッタの２つの出力側にそれぞれ接続された２つのフォトダイオードと、
前記２つのフォトダイオードの出力が差動出力となるように接続された電気配線と、
前記電気配線のもう一方の端に接続され、前記２つのフォトダイオードの差動出力に応じて発振する光パルス発生器と、
前記光パルス発生器の出力側に接続され、光信号を互いに直交する２つの偏波の光信号に分離し位相差を設け、前記光ゲート素子の入力側に接続された偏波分離遅延器とを有することを特徴とする光クロック再生機能付光信号処理装置。
【請求項３】
入力された光信号に対し、同期して信号処理を行なう光クロック再生機能付光信号処理装置において、
光が入力されるとこの光を互いに直交する２つの偏波の光に分離し、分離した２つの偏波の光に位相差を設けて出力する偏波分離遅延器と、
入力光信号と光クロック信号が入力すると、光クロック信号と入力光信号とが重なる時間幅と強度になっている出力光信号を出力する光ゲート素子と、
前記光ゲート素子の出力側に接続された光２分波器と、
前記光２分波器の一方の出力側に接続された偏波調整器と、
前記光２分波器のもう一方の出力側に接続された光位相調整器と、
前記偏波調整器の出力側に接続された偏光ビームスプリッタと、
前記偏光ビームスプリッタにより分離された２つの出力光信号の位相差に応じて周波数と位相が調整された光クロック信号を発生する光パルス発生器とを有し、
前記入力光信号または光クロック信号の一方は、前記偏波分離遅延器を通ってから前記光ゲート素子に入力されることを特徴とする光クロック再生機能付光信号処理装置。
【発明の詳細な説明】
【技術分野】
【０００１】
本発明は、光通信技術で汎用的に用いられる光信号処理装置に関するものである。
【背景技術】
【０００２】
近年の通信量の大容量化に伴い、光通信システムにおける光信号の高ビットレート化への要求はますます増大しており、近い将来、現在の電子回路技術をベースとした信号処理装置の限界を超えた高速な光信号処理装置が必要となる。
【０００３】
光信号処理装置は、外部から入力される光データ信号に同期したクロック信号を再生するクロック再生部と、再生されたクロック信号を用いて光データ信号を処理する光ゲート素子でなる光信号処理部とから構成される。
【０００４】
光ゲート素子としては、フォトダイオード（ＰＤ）と電界吸収型光変調器（ＥＡＭ）をモノリシック集積したＰＤ−ＥＡＭ光ゲート素子が提案（S.Kodama, T.Ito, N.Watanabe, S.Kondo, H.Takeuchi, H.Ito and T.Ishibashi,“2.3 ps Optical Gate Monolithically Integrating Photodiod-Electroabsorption Modulator（ＰＤ−ＥＡＭ）”，Electron. Lett, Vol.37,No.10,pp.1185-1186, 2001)されており、これを用いた超高速光信号処理が実現されている。（S.Kodama, T.Yoshimatsu, and H.Ito,“320 Gbit/s error-free demultiplexing using ultrafast optical gate monolithically integrating a photodiode and electroabsorption modulator ”，Electron, Lett., Vol.39,No.17,pp.1269-1270, 2003.)
【０００５】
一方、クロック再生装置としては、光ゲート素子を位相比較器として用いたものが提案されている。図４には、光ゲート素子としてＥＡＭを用いた従来のクロック再生装置（C.Boerner, C.Schubert, C.Schmidt, E.Hilliger, V.Marembert, J.Berger, S.Ferber, E.Dietrich. R.Ludwig, B,Schmauss and Ｈ．Ｇ．Weber,“160 Gbit/s clock recovery with electro-optical  ＰＬＬ using bidirectionally operated electroabsorption modulator as phase comparator ”, Electronics Letters, vol.39,no.14,pp.1071-1073, 2003）を示す。
【０００６】
図４において、４１は３ｄＢ結合器、４２は光遅延器、４３ａ，４３ｂは光サーキュレータ、４４はＥＡＭ、４５ａ，４５ｂはフォトダイオード（ＰＤ）、４６は差動増幅器、４７はローパスフィルタ、４８は電圧制御発振器（ＶＣＯ）、４９は四逓倍器、５０は入力光信号、５１は分周再生クロック、５２ａ，５２ｂは分岐光信号、５３は四逓倍クロック、６１ａ，６１ｂはそれぞれＰＤ４５ａ，４５ｂの電気信号、６２は位相比較信号である。
【０００７】
入力光信号５０は、３ｄＢ結合器４１により分岐光信号５２ａ，５２ｂに等しく分岐される。分岐光信号５２ａは光サーキュレータ４３ａによりＥＡＭ４４の一方の入出力ポートに導かれ、分岐光信号５２ｂは、光遅延器４２で一定時間（Δｔ）遅延された後、光サーキュレータ４３ｂにより分岐光信号５２ａが導かれたＥＡＭ４４のポートと反対側のＥＡＭ４４の入出力ポートに導かれる。
【０００８】
ＥＡＭ４４に導かれた分岐光信号５２ａ，５２ｂは、ＥＡＭ４４にて、印加された四逓倍クロック５３によりそれぞれ変調され、それぞれ入力したポートと反対側の入出力ポートから出力され、それぞれ再び光サーキュレータ４３ａ，４３ｂを通り、それぞれＰＤ４５ａ，４５ｂにて電気信号６１ａ，６１ｂに変換される。
【０００９】
電気信号６１ａ，６１ｂは差動増幅器４６に入力され、その差分が差動増幅器４６により増幅され、ローパスフィルタ４７により高周波成分を除去されて双極性の位相比較信号６２になり、ＶＣＯ４８に印加される。
【００１０】
ここで、ＶＣＯ４８では、基準周波数Ｆに対し、位相比較信号６２の極性と大きさに応じて周波数を増減させた正弦波を発振する。ＶＣＯ４８の出力を分岐した一方は、四逓倍器４９により四逓倍クロック５３（周波数：４Ｆ）になり、ＥＡＭ４４に印加される。
【００１１】
ここで、入力光信号５０のビットレートが４ｎＦである場合においては、分岐光信号５２ａ，５２ｂと四逓倍クロック５３との位相差が、ＥＡＭ４４の二つの入出力ポートを透過する光パワーを決定する。それゆえ、ＰＤ４５ａ，４５ｂから出力される電気信号６１ａ，６１ｂは、分岐光信号５２ａ，５２ｂと四逓倍クロック５３との位相差に依存するので、電気信号６１ａ，６１ｂの電圧の差分を、ローパスフィルタ４７により高周波成分を除去することで位相比較信号６２として用いることができる。
【００１２】
ここで、図５を用いて、入力光信号５０と四逓倍クロック５３との位相差と、位相比較信号６２との関係を説明する。図５において、横軸は入力光信号５０と四逓倍クロック５３との相対的な位相差で、縦軸はＰＤ４５ａからの電気信号６１ａ，ＰＤ４５ｂからの電気信号６１ｂ、位相比較信号６２のそれぞれの値（電圧）である。電気信号６１ａの波形は電気信号６１ｂの波形に対して、光遅延器４２による遅延時間（Δｔ）の分だけ位相が遅れている。位相比較信号６２は電気信号６１ａと電気信号６１ｂの波形の差分に相当し、位相比較信号６２はロックレンジの範囲内において位相差に比例する信号、すなわち位相比較信号になっている。最も振幅が大きく、かつ位相差０において直線的な位相比較信号６２を得るためには、電気信号６１ａと電気信号６１ｂの波形が正弦波状である場合は、遅延時間Δｔを入力光信号５０のビット周期の半分にすると良い。
【００１３】
このような構成とすることで、入力光信号５０（ビットレート：４ｎＦ）と四逓倍クロック５３（周波数：４Ｆ）の位相同期ループが構成され、ＶＣＯ４８の出力を分岐した他方を分周再生クロック５１（周波数：Ｆ）として外部に取り出すことができる。例えばｎが４の場合、入力光信号５０のビットレートが１６０Ｇｂｉｔ／ｓ（ビット周期：６.２５ｐｓ）、光遅延器４２による遅延時間（Δｔ）が約３ｐｓ（ビット周期の約１／２）の時、１０ＧＨｚの分周再生クロック５１を取り出すことができる。
【００１４】
また、このような構成により、高速な光信号に同期したクロック信号を再生することができる。再生されたクロック信号は電気信号であるが、半導体のモード同期レーザダイオードや利得スイッチレーザダイオードなどを用いることで光信号に変換することも可能であり、光クロック信号を必要とする前述のような光ゲート素子と組み合わせて光信号処理を行うことも可能である。
【００１５】
しかしながら、上述のように光クロックを再生できるとしても、従来のクロック再生装置と別に設ける光信号処理部とを用いて光信号処理を行なうには、クロック再生部と光信号処理部が分かれるため装置が複雑な構成になるという問題がある。
【００１６】
更に、クロック再生部と光信号処理部との間を結び、光クロック信号を送るための光ファイバが外部温度の変化に応じて伸縮することにより、光信号処理部でデータ信号とクロック信号との位相が変化し、安定な光信号処理が出来ないという問題があった。
【００１７】
【非特許文献１】S.Kodama, T.Ito, N.Watanabe, S.Kondo, H.Takeuchi, H.Ito and T.Ishibashi,“2.3 ps Optical Gate Monolithically Integrating Photodiod-Eleotroabsorption Modulator（ＰＤ−ＥＡＭ）”，Electron. Lett, Vol.37,No.10,pp.1185-1186, 2001.
【非特許文献２】S.Kodama, T.Yoshimatsu, and H.Ito,“320 Gbit/s error-freedemultiplexing using ultrafast optical gate monolithically integrating a photodiode and electroabsorption modulator ”，Electron, Lett., Vol.39,No.17,pp.1269-1270, 2003.
【非特許文献３】C.Becrner, C.Schubert, C.Schmidt, E.Hilliger, V.Marembert, J.Berger, S.Ferber, E.Dietrich. R.Ludwig, B,Schmauss and Ｈ．Ｇ．Weber,“160 Gbit/s clock recovery with electro-optical  ＰＬＬ using bidirectionally operatedelectroabsorption modulator as phase comparator ”, Electronics Letters, vol.39,no.14,pp.1071-1073, 2003.
【発明の開示】
【発明が解決しようとする課題】
【００１８】
本発明の目的は、以上の問題点を鑑み、簡易な構成で安定なクロック再生機能付光信号処理装置を提供することにある。
【課題を解決するための手段】
【００１９】
上記の課題を解決する本発明の請求項１に係る構成は、入力光信号を互いに直交する２つの偏波の光信号に分離し位相差を設ける偏波分離遅延器と、前記偏波分離遅延器の出力側に接続された光ゲート素子と、前記光ゲート素子の出力側に接続された光２分波器と、前記光２分波器の一方の出力側に接続された偏波調整器と、前記光２分波器のもう一方の出力側に接続された光位相調整器と、前記偏波調整器の出力側に接続された偏光ビームスプリッタと、前記偏光ビームスプリッタの２つの出力側にそれぞれ接続された２つのフォトダイオードと、前記２つのフォトダイオードの出力が差動出力となるように接続された電気配線と、前記電気配線のもう一方の端に接続され、前記２つのフォトダイオードの差動出力に応じて発振し、出力側が前記光ゲート素子の制御信号光入力側に接続された光パルス発生器とを有することを特徴とする。
【００２０】
上記の課題を解決する本発明の請求項２に係る構成は、入力光信号により制御される光ゲート素子と、前記光ゲート素子の出力側に接続された光２分波器と、前記光２分波器の一方の出力側に接続された偏波調整器と、前記光２分波器のもう一方の出力側に接続された光位相調整器と、前記偏波調整器の出力側に接続された偏光ビームスプリッタと、前記偏光ビームスプリッタの２つの出力側にそれぞれ接続された２つのフォトダイオードと、前記２つのフォトダイオードの出力が差動出力となるように接続された電気配線と、前記電気配線のもう一方の端に接続され、前記２つのフォトダイオードの差動出力に応じて発振する光パルス発生器と、前記光パルス発生器の出力側に接続され、光信号を互いに直交する２つの偏波の光信号に分離し位相差を設け、前記光ゲート素子の入力側に接続された偏波分離遅延器とを有することを特徴とする。
【００２１】
上記課題を解決する本発明の請求項３に係る構成は、光が入力されるとこの光を互いに直交する２つの偏波の光に分離し、分離した２つの偏波の光に位相差を設けて出力する偏波分離遅延器と、入力光信号と光クロック信号が入力すると、光クロック信号と入力光信号とが重なる時間幅と強度になっている出力光信号を出力する光ゲート素子と、前記光ゲート素子の出力側に接続された光２分波器と、前記光２分波器の一方の出力側に接続された偏波調整器と、前記光２分波器のもう一方の出力側に接続された光位相調整器と、前記偏波調整器の出力側に接続された偏光ビームスプリッタと、前記偏光ビームスプリッタにより分離された２つの出力光信号の位相差に応じて周波数と位相が調整された光クロック信号を発生する光パルス発生器とを有し、前記入力光信号または光クロック信号の一方は、前記偏波分離遅延器を通ってから前記光ゲート素子に入力されることを特徴とする。
【発明の効果】
【００２２】
本発明の構成を用いることで、簡易な構成で安定な光クロック再生機能付光信号処理装置を実現できるという効果がある。
【発明を実施するための最良の形態】
【００２３】
以下、実施の形態の詳細を、実施例に基づき図面を用いて説明する。
【実施例１】
【００２４】
図１は本発明に係る実施形態の一例を示す実施例１の光クロック再生機能付光信号処理装置の構成を示す図であって、１０００は偏波分離遅延装置、１００１は偏波コントローラである半波長板、１００２は偏波保持ファイバー（ＰＭＦ）、２０００は光ゲート素子であるＰＤ−ＥＡＭ光ゲート素子、２００１は単一走行キャリアフォトダイオード（ＵＴＣ−ＰＤ）、２００２は電界吸収型光変調器（ＥＡＭ）、６００１は光２分波器である光カップラ、３００１は光位相補償器であるλ／４板、３００２は偏波コントローラである半波長板、７００１は偏光ビームスプリッタ（ＰＢＳ）、４００１および４００２はフォトダイオード、８００１は電気配線、５０００は光パルス発生器、５００１は電圧制御発振器（ＶＣＯ）、５００２は高周波電気増幅器、５００３は半導体モード同期レーザダイオード（ＭＬＬＤ）、１はＲＺ信号である本装置の入力光信号、２は偏光分離遅延器１０００の出力光信号であり光ゲート素子２０００への入力光信号、３は本装置の出力光信号、４，５はそれぞれＰＢＳの出力光信号、６はフォトダイオード４００１とフォトダイオード４００２の差動出力電気信号である位相比較電気信号、７は本装置の電気クロック信号、８は本装置の光クロック信号である。
【００２５】
次に図１を用いて本装置の動作を説明する。
入力光信号１は、偏波分離遅延装置１０００内の偏波コントローラ１００１に入力される。ここで、偏波コントローラ１００１の出力光信号がＰＭＦ１００２に入力される際に、その偏光成分が互いに直交しＰＭＦ１００２のスロー軸およびファースト軸に等しく配分されるように、偏波コントローラ１００１を調整する。このようにすると、ＰＭＦ１００２のスロー軸およびファースト軸に配分された偏光成分が、スロー軸およびファースト軸の実効屈折率の差に応じて時間的に分離し、時間差Δｔが生じる。このΔｔが入力光信号１のビット間隔の半分以下でかつ後述の動作において最適な時間となるように、あらかじめＰＭＦ１００２の長さを設定する。
【００２６】
偏波分離遅延装置１０００から出力される光信号２はＰＤ−ＥＡＭ光ゲート素子２０００内のＥＡＭ２００２に入力される。また、光クロック信号８はＵＴＣ−ＰＤ２００１で光電変換された後ＥＡＭ２００２を制御して、偏波分離遅延装置１０００の出力光信号であり互いに直交する偏光成分を有する光信号２を打ち抜く。このため、光ゲート素子２０００からは、入力光信号１と光クロック信号８とが重なる時間幅と強度になっている出力光信号が出力される。
【００２７】
ＥＡＭ２００２の出力光信号は互いに直交する偏光成分を有したまま光カップラ６００１で分岐され、一方が偏波コントローラ３００２に入力され、その出力光信号がＰＢＳ７００１に導かれる。ここで、互いに直交する偏光成分がＰＢＳ７００１にてそれぞれに分離され、また、ファースト軸を通ってきた成分がフォトダイオード４００２に、スロー軸を通ってきた成分がフォトダイオード４００１に入力されるように偏波コントローラ３００２を調整する。
【００２８】
ここで、光信号２のあるビットに注目すると、ＰＭＦ１００２のファースト軸を通ってきた偏光成分に対しスロー軸を通ってきた偏光成分は、Δｔ遅れているが、Δｔの間でＥＡＭ２００２にて打ち抜かれるとすると、ＰＭＦ１００２のファースト軸を通ってきた偏光成分では、ビットを形成するパルス波形の時間が遅い部分が、スロー軸を通ってきた偏光成分では、ビットを形成するパルス波形の時間が早い部分が打ち抜かれることになる。
【００２９】
図２（ａ）に示すような状態を、光クロック信号８の位相が入力光信号１の位相が同じとすると、ファースト軸を通ってきた偏光成分の強度はスロー軸を通ってきた偏光成分の強度と同じになる。
光クロック信号８の位相が入力光信号１の位相よりも進んでいる場合、図２（ｂ）に示すように、ファースト軸を通ってきた偏光成分の強度はスロー軸を通ってきた偏光成分の強度と比較して相対的に大きくなる。
逆に、光クロック信号８の位相が入力光信号１の位相よりも遅れている場合、図２（ｃ）に示すように、ファースト軸を通ってきた偏光成分の強度はスロー軸を通ってきた偏光成分の強度と比較して相対的に小さくなる。
【００３０】
つまり、光クロック信号８と入力光信号１の位相差が、互いに直交する偏光成分の強度差で表され、さらには、それぞれＰＢＳ７００１の出力光信号４，５の強度差であらわされる。
【００３１】
フォトダイオード４００１，４００２は差動出力となるように電気配線８００１により接続されているため、光クロック信号８と入力光信号１の位相差に応じた双極性の電気信号となり、位相比較電気信号６が得られる。この位相比較電気信号６は、電気配線８００１を通り、光パルス発生器５０００を構成するＶＣＯ５００１に与えられる。
【００３２】
ここで、ＶＣＯ５００１は、印加された位相比較電気信号６の電圧に応じて周波数をずらした正弦波を発振する。ＶＣＯ５００１で発振した正弦波電気信号は高周波電気増幅器５００２で増幅されＭＬＬＤ５００３に与えられる。ＭＬＬＤ５００３は、ＶＣＯ５００１の出力に同期した光クロック信号８を発生し光クロック信号８は再びＵＴＣ−ＰＤ２００１に入力することで、位相同期ループを構成する。
【００３３】
ここで、ＶＣＯ５００１の発振周波数を入力光信号１のビットレートの１／ｎ（ｎは整数）とすることで、光カップラ６００１のもう一方の出力からは、入力光信号１が１／ｎに時間分割（ＤＥＭＵＸ）された出力光信号３が得られる。
【００３４】
このような構成をとることで、光信号処理部と光クロック再生部の処理を同時に行なうことが簡易な構成で実現出来る。また、外乱により、光クロック信号８と入力光信号１の位相がずれたとしても、位相同期ループ内に光信号処理部があるため位相ずれに追従でき安定に動作することが出来る。
【実施例２】
【００３５】
図３は本発明に係る実施形態の一例を示す実施例２の光クロック再生機能付光信号処理装置の構成を示す図であって、実施例１の光クロック再生機能付光信号処理装置の入力光信号１を光ゲート素子２０００の制御信号として入力、つまり、ＵＴＣ−ＰＤ２００１に入力し、再生された光クロック信号８を偏波分離遅延装置１０００を通じて光ゲート素子２０００の入力信号として入力、つまりＥＡＭ２００２に入力したものである。
【００３６】
このような構成をとり、ＶＣＯ５００１の発振周波数と入力光信号１のビットレートを同じにすることで、光ゲート素子２０００で規則正しい光クロック信号８を入力光信号１で打ち抜くことになり、クロック再生、波形整形に加えいわゆるデータの再生も実現でき、光信号処理のひとつである３Ｒ（Re-shaping , Re-timing , Re-generating)がこの構成だけで実現できる。また、入力光信号１と光クロック信号８の波長が異なるようにＭＬＬＤ５００３の発振波長を設定すると波長変換も実現できる。
【００３７】
なお、上述した実施の形態では、偏波分離遅延装置１０００として偏波コントローラとＰＭＦを組み合わせたものを用いたが、偏波コントローラとＰＢＳと光遅延器と光カップラを組み合わせたものなど他の公知の技術を用いても良い。
【００３８】
また、光ゲート素子２０００としてＰＤ−ＥＡＭ光ゲート素子を用いたが、半導体増幅器ベースマッハツェンダ干渉計光ゲート素子や非線形ループミラーやその他の公知の光ゲート素子を用いても良い。
【００３９】
また、電気クロック信号７を光クロック信号８に変換する手段としてＭＬＬＤ５００３を用いたが、半導体ゲインスイッチダイオードなどの他の公知の手段を用いても良い。
【００４０】
また、光分波器６００１として光カップラを用いたが、方向性結合器や多モード干渉型光カップラなど他の公知の光分波器を用いても良い。
【産業上の利用可能性】
【００４１】
本発明では、光信号処理と光クロック再生とを同時に行う、クロック再生機能部を有する光信号処理回路に利用することが可能である。
【図面の簡単な説明】
【００４２】
【図１】本発明の実施例１に係る光クロック再生機能付光信号処理装置の構成を示す構成図である。
【図２】本発明の実施例１に係る光クロック再生機能付光信号処理装置における、出力信号４，５の強度と光クロック８と入力光信号１の位相の関係を示す特性図である。
【図３】本発明の実施例２に係る光クロック再生機能付光信号処理装置の構成を示す構成図である。
【図４】従来例によるクロック再生装置を示す構成図である。
【図５】従来例によるクロック再生装置における位相関係を示す特性図である。
【符号の説明】
【００４３】
１０００  偏波分離遅延装置
１００１  偏波コントローラである半波長板
１００２  偏波保持ファイバー（ＰＭＦ）
２０００  光ゲート素子であるＰＤ−ＥＡＭ光ゲート素子
２００１  単一走行キャリアフォトダイオード（ＵＴＣ−ＰＤ）
２００２  電界吸収型光変調器（ＥＡＭ）
３００１  光位相補償器であるλ／４板
３００２  偏波コントローラである半波長板
４００１，４００２  フォトダイオード
５０００  光パルス発生器
５００１  電圧制御発振器（ＶＣＯ）
５００２  高周波電気増幅器
５００３  半導体モード同期レーザダイオード（ＭＬＬＤ）
６００１  光２分波器である光カップラ
７００１  偏光ビームスプリッタ（ＰＢＳ）
８００１  電気配線
１  ＲＺ信号である本装置の入力光信号
２  偏光分離遅延器１０００の出力光信号であり光ゲート素子の入力光信号
３  本装置の出力光信号
４，５  それぞれＰＢＳの出力光信号
６  フォトダイオード４００１と４００２の差動出力電気信号である位相比較電気信号
７  本装置の電気クロック信号
８  本装置の光クロック信号
【図１】
2005345750.tif 000003
【図２】
2005345750.tif 000004
【図３】
2005345750.tif 000005
【図４】
2005345750.tif 000006
【図５】
2005345750.tif 000007